(57)【要約】【課題】加湿に伴う温度低下を消費電力量が多大なヒータなどを用いることなく最小限に抑制でき、省エネルギー化を図りつつ良好な加湿性能を得ることができる加湿装置、加湿ユニット、及び座席専用空調装置を提供する。【解決手段】加湿装置２２は本体ケース２６を備えており、該本体ケース２６内には３つの加湿ユニット２７Ａ，２７Ｂ，２７Ｃと２つの熱交換ユニット２８Ａ，２８Ｂとが設けられている。各加湿ユニット２７Ａ〜２７Ｃは、該加湿ユニット２７Ａ〜２７Ｃ内を通過する加湿用空気を加湿するようになっている。また、各熱交換ユニット２８Ａ，２８Ｂには、加湿用空気が通過する扁平管３７の管路３７ａと仕切形成された熱交換用空気通路３９が設けられている。そして、熱交換用空気通路３９内を通過する熱交換用空気は、加湿ユニット２７Ａ〜２７Ｃによって加湿された加湿用空気と熱交換するようになっている。【選択図】      図３
2006266583.tif 000002
【特許請求の範囲】
【請求項１】
加湿用の空気が通過する空気流路上に、前記空気を加湿する加湿ユニットと、前記空気及び該空気を加湿するための水分のうち少なくとも一方と熱交換する熱交換ユニットとを配置した加湿装置。
【請求項２】
前記加湿ユニットには水分により湿潤状態とされる加湿部を前記空気が接触して通過するように設ける一方、前記熱交換ユニットには熱交換用の気体を通過させる気体流路が前記空気流路と仕切形成された熱交換部を設け、当該熱交換部を、前記空気流路を前記空気が通過すると共に前記気体流路を前記気体が通過する際に、当該気体が前記空気及び前記加湿部に含まれる水分のうち少なくとも一方と熱交換する配置構成とした請求項１に記載の加湿装置。
【請求項３】
前記加湿部は、前記加湿ユニットに装着された吸水性を有するフィルタからなり、当該フィルタに対して水分供給手段から水分供給がなされるように構成されている請求項２に記載の加湿装置。
【請求項４】
前記加湿部は、前記加湿ユニット内に加湿用水を導入する水分供給流路と前記空気流路との間を仕切る防水透湿膜とにより構成されている請求項２に記載の加湿装置。
【請求項５】
前記熱交換部は、内側空間が前記気体流路となる熱交換用筒状体により構成され、当該熱交換用筒状体は、その外面が、前記空気流路を通過する加湿用の空気及び前記加湿部若しくは当該加湿部に供給される加湿用水のうち少なくとも一つと接触する配置態様とされている請求項２〜請求項４のうち何れか一項に記載の加湿装置。
【請求項６】
前記熱交換用の気体として、加湿用の空気と同様の装置周りの環境空気が使用される請求項２〜請求項５のうち何れか一項に記載の加湿装置。
【請求項７】
前記加湿ユニット及び熱交換ユニットは、前記空気流路の上流側から下流側へ、最上流側には加湿ユニットが配置される配置態様で、交互に配置されている請求項１〜請求項６のうち何れか一項に記載の加湿装置。
【請求項８】
前記加湿ユニット及び熱交換ユニットは、前記空気流路の上流側から下流側へ、当該空気流路に沿って平行な配置態様となるように配置されている請求項１〜請求項６のうち何れか一項に記載の加湿装置。
【請求項９】
室内の一部に加湿対象スペースを仕切形成するパーティションに請求項１〜請求項８のうち何れか一項に記載の加湿装置が装備され、該加湿装置で加湿した空気により、室内全域のうち前記パーティションが仕切形成する加湿対象スペース単位での湿度調整を可能とした加湿システム。
【請求項１０】
シートとは別体構成であって該シートと共に座席装置を構成するシート周りモジュールに請求項１〜請求項８のうち何れか一項に記載の加湿装置が装備され、該加湿装置で加湿した空気により、前記シート周りモジュールが対応する座席装置単位での湿度調整を可能とした座席専用空調装置。
【請求項１１】
前記シート周りモジュールは、該シート周りモジュールが対応する座席装置のシートの周りに配置されて該シートの周辺に前記座席装置の専用スペースを仕切形成するパーティションである請求項１０に記載の座席専用空調装置。
【請求項１２】
前記パーティションには、該パーティションが仕切形成する前記座席装置の専用スペースを上方から覆うことが可能なカバー部材が装備されている請求項１１に記載の座席専用空調装置。
【発明の詳細な説明】
【技術分野】
【０００１】
本発明は、例えば家屋の室内や航空機における客室内、及び前記客室内等に設置された座席装置の周りに仕切形成される小スペース等という所定スペース内の湿度を上昇させるための加湿装置、加湿システム、及び座席専用空調装置に関する。
【背景技術】
【０００２】
従来、この種の加湿装置として、例えば特許文献１に記載の加湿装置（加湿ユニット）が提案されている。この加湿装置は、室内に設置されるものであり、箱形状をなす本体ケースを備え、その本体ケース内の下部には大円形水槽と小円形水槽とが設けられている。前記本体ケース内には、下部が大円形水槽内の水に浸されて湿潤状態とされるフィルタが設けられ、そのフィルタの上方にはファン（送風機）が配設されている。また、前記本体ケースの側面には前記大円形水槽の上方となる位置に吸入口が形成されると共に、前記本体ケースの上面には第１吹出口が形成されている。そして、前記ファンの駆動に基づき前記吸入口を介して加湿用の空気（室内の環境空気）が本体ケース内に吸入され、その空気がフィルタを透過することにより加湿された後、第１吹出口を介して室内へ吹き出されるようになっている。
【０００３】
また、前記本体ケース内には、前記小円形水槽内の水を加熱するための加熱部（例えばヒータ）が設けられている。この加熱部は、小円形水槽内の水を加熱することにより水蒸気として蒸発させ、その水蒸気を加熱部の上方に形成された第２吹出口を介して本体ケース外に吹き出させるようになっている。すなわち、前記加湿装置では、フィルタ通過時の水の気化潜熱によって温度低下した空気が第１吹出口から吹き出される一方、加熱部の加熱作用に基づき温度上昇した空気（水蒸気）が第２吹出口から吹き出されるようになっている。そして、前記加湿装置では、温度が相対的に低い空気（第１吹出口から吹き出された空気）と温度が相対的に高い空気（第２吹出口から吹き出された水蒸気）とを加湿装置の本体ケース外（すなわち、室内空間中）で中和させることにより、加湿装置が設置されたスペース内（室内）の温度の低下を抑制しつつ空気を加湿するようにしていた。
【特許文献１】特開２００１−３３６７９１号公報（請求項１、図１）
【発明の開示】
【発明が解決しようとする課題】
【０００４】
ところで、近時は、消費電力量の低い加湿装置が希求される傾向にある。特に、航空機などのように使用できる電力量が限られているところでは、加湿装置の消費電力量を低下させることが必要である。ところが、特許文献１の加湿装置では、消費電力が多大となる加熱部を駆動させることにより、小円形水槽内の水を蒸発（加熱）させていた。すなわち、特許文献１の加湿装置では、加湿される空気の温度低下を抑制しつつ所望する加湿性能を得るためには、非常に多くの電力を消費してしまうという問題があった。
【０００５】
本発明は、このような事情に鑑みてなされたものである。その目的は、加湿に伴う温度低下を消費電力量が多大なヒータなどを用いることなく最小限に抑制でき、省エネルギー化を図りつつ良好な加湿性能を得ることができる加湿装置、加湿システム、及び座席専用空調装置を提供することにある。
【課題を解決するための手段】
【０００６】
上記目的を達成するために、加湿装置に係る請求項１に記載の発明は、加湿用の空気が通過する空気流路上に、前記空気を加湿する加湿ユニットと、前記空気及び該空気を加湿するための水分のうち少なくとも一方と熱交換する熱交換ユニットとを配置したことを特徴とする。
【０００７】
また、請求項２に記載の発明は、請求項１に記載の加湿装置において、前記加湿ユニットには水分により湿潤状態とされる加湿部を前記空気が接触して通過するように設ける一方、前記熱交換ユニットには熱交換用の気体を通過させる気体流路が前記空気流路と仕切形成された熱交換部を設け、当該熱交換部を、前記空気流路を前記空気が通過すると共に前記気体流路を前記気体が通過する際に、当該気体が前記空気及び前記加湿部に含まれる水分のうち少なくとも一方と熱交換する配置構成としたことを特徴とする。
【０００８】
また、請求項３に記載の発明は、請求項２に記載の加湿装置において、前記加湿部は、前記加湿ユニットに装着された吸水性を有するフィルタからなり、当該フィルタに対して水分供給手段から水分供給がなされるように構成されていることを特徴とする。
【０００９】
また、請求項４に記載の発明は、請求項２に記載の加湿装置において、前記加湿部は、前記加湿ユニット内に加湿用水を導入する水分供給流路と前記空気流路との間を仕切る防水透湿膜により構成されていることを特徴とする。
【００１０】
また、請求項５に記載の発明は、請求項２〜請求項４のうち何れか一項に記載の加湿装置において、前記熱交換部は、内側空間が前記気体流路となる熱交換用筒状体により構成され、当該熱交換用筒状体は、その外面が、前記空気流路を通過する加湿用の空気及び前記加湿部若しくは当該加湿部に供給される加湿用水のうち少なくとも一つと接触する配置態様とされていることを特徴とする。
【００１１】
また、請求項６に記載の発明は、請求項２〜請求項５のうち何れか一項に記載の加湿装置において、前記熱交換用の気体として、加湿用の空気と同様の装置周りの環境空気が使用されることを特徴とする。
【００１２】
また、請求項７に記載の発明は、請求項１〜請求項６のうち何れか一項に記載の加湿装置において、前記加湿ユニット及び熱交換ユニットは、前記空気流路の上流側から下流側へ、最上流側には加湿ユニットが配置される配置態様で、交互に配置されていることを特徴とする。
【００１３】
また、請求項８に記載の発明は、請求項１〜請求項６のうち何れか一項に記載の加湿装置において、前記加湿ユニット及び熱交換ユニットは、前記空気流路の上流側から下流側へ、当該空気流路に沿って平行な配置態様となるように配置されていることを特徴とする。
【００１４】
一方、加湿システムに係る請求項９に記載の発明は、室内の一部に加湿対象スペースを仕切形成するパーティションに請求項１〜請求項８のうち何れか一項に記載の加湿装置が装備され、該加湿装置で加湿した空気により、室内全域のうち前記パーティションが仕切形成する加湿対象スペース単位での湿度調整を可能としたことを特徴とする。
【００１５】
さらに、座席専用空調装置に係る請求項１０に記載の発明は、シートとは別体構成であって該シートと共に座席装置を構成するシート周りモジュールに請求項１〜請求項８のうち何れか一項に記載の加湿装置が装備され、該加湿装置で加湿した空気により、前記シート周りモジュールが対応する座席装置単位での湿度調整を可能としたことを特徴とする。
【００１６】
また、請求項１１に記載の発明は、請求項１０に記載の座席専用空調装置において、前記シート周りモジュールは、該シート周りモジュールが対応する座席装置のシートの周りに配置されて該シートの周辺に前記座席装置の専用スペースを仕切形成するパーティションであることを特徴とする。
【００１７】
また、請求項１２に記載の発明は、請求項１１に記載の座席専用空調装置において、前記パーティションには、該パーティションが仕切形成する前記座席装置の専用スペースを上方から覆うことが可能なカバー部材が装備されていることを特徴とする。
【発明の効果】
【００１８】
請求項１に記載の発明によれば、加湿用の空気（加湿前空気）は、空気流路を通過する際に加湿ユニットによって加湿されると、その際の気化潜熱により温度が低下することになる。しかし、その温度低下の度合いは、加湿ユニットと共に空気流路上に配置されている熱交換ユニットが、加湿ユニットにより加湿された空気及び該空気を加湿するための水分のうち少なくとも一方と熱交換するため、温度低下の抑制された空気（加湿後空気）が得られるようになる。したがって、加湿に伴う温度低下を消費電力量が多大なヒータなどを用いることなく最小限に抑制でき、省エネルギー化を図りつつ良好な加湿性能を得ることができる。
【００１９】
請求項２に記載の発明によれば、熱交換ユニットの熱交換部において、気体流路を通過する熱交換用の気体が、空気流路を通過する空気と混じり合うことなく、該空気及び加湿部に含まれる水分のうち少なくとも一方と熱交換することにより、加湿ユニットの加湿作用によって加湿用の空気が温度低下する程度を好適に抑制できる。
【００２０】
請求項３に記載の発明によれば、水分供給手段から供給される水分によってフィルタは常に湿潤状態とされるため、そのフィルタにて加湿ユニットを通過する加湿用の空気を確実に加湿できると共に、そのようなフィルタが劣化したような場合には、当該フィルタを交換装着することで容易にメンテナンスすることができる。
【００２１】
請求項４に記載の発明によれば、水分供給流路を介して加湿用水を加湿ユニットへ導入すれば、その加湿用水が防水透湿膜を介して迅速に気化して空気流路内を通過する加湿用の空気を加湿するため、良好な加湿効率を簡単に得ることができる。
【００２２】
請求項５に記載の発明によれば、熱交換用筒状体の外面が、空気流路を通過する加湿用の空気と接触する配置態様では気体−気体の熱交換となり、加湿部若しくは当該加湿部に供給される加湿用水と接触する配置態様では、気体−気体の熱交換よりも熱交換効率のよい気体−液体の熱交換となる。このように、上記構成によれば、熱交換ユニットでの設計自由度が広がると共に、気体−液体の熱交換となるように構成した場合には、加湿性能及び熱交換効率が共に高くなるため装置全体の小型化が容易になる。
【００２３】
請求項６に記載の発明によれば、熱交換用の気体として別途に高温気体等を使用せず、加湿用の空気と同様の装置周りの環境空気を使用するため、ランニングコストが嵩むこともない。
【００２４】
請求項７に記載の発明によれば、加湿ユニットを通過することで温度低下して相対湿度が高くなった加湿用の空気は、次に熱交換ユニットを通過することで温度上昇して相対湿度が低くなる。したがって、再び加湿ユニットを通過する際には更なる加湿が促進され、その結果、加湿用の空気における絶対湿度を容易に高くできるようになり、高い加湿性能を得ることができる。
【００２５】
請求項８に記載の発明によれば、加湿ユニットによる加湿用の空気に対する加湿作用（気化潜熱により温度を低下させる作用）と熱交換ユニットによる熱交換作用（加湿用の空気の温度低下抑制作用）が同時進行的に行われることになるため、空気流路を通過する途中で加湿用の空気の温度変化を最小限にできる。
【００２６】
請求項９に記載の発明によれば、加湿装置は、室内全域よりも狭い空間域となるように仕切形成された加湿対象スペースの加湿を図ることになるため、その加湿効率を消費電力の低減を図りつつ好適に向上することができる。
【００２７】
請求項１０に記載の発明によれば、加湿装置がシートと共に座席装置を構成するシート周りモジュールに装備されているので、該シート周りモジュールが対応する座席装置単位での環境空気の加湿を図ることができる。
【００２８】
請求項１１に記載の発明によれば、シート周りモジュールが座席装置の専用スペースを仕切形成するパーティションであるため、座席装置単位での環境空気の加湿効率を消費電力の低減を図りつつ好適に向上することができる。
【００２９】
請求項１２に記載の発明によれば、パーティションにより仕切形成された専用スペースの上方がカバー部材により覆われた場合、その専用スペースは、厳密な意味での密閉空間とはならないが、一種の小容量閉空間となる。したがって、そのような小容量閉空間の環境空気を加湿することになる加湿装置では、より一層、その消費電力を低減することができる。
【発明を実施するための最良の形態】
【００３０】
（第１の実施形態）
以下、本発明を、航空機におけるファーストクラスの客室に設置される一人掛けの座席装置が有する座席専用空調装置（加湿システム）及び該座席専用空調装置に設けられる加湿装置に具体化した第１の実施形態を図１〜図６に従って説明する。
【００３１】
図１（ａ）（ｂ）に示すように、本実施形態の座席装置１０は、一人掛けのシート１１と、該シート１１とは別体構成で該シート１１と共に座席装置１０を構成するパーティション（シート周りモジュール）１２とを備えている。このパーティション１２は、前記シート１１の後側に位置する後側壁１２ａと、前記シート１１の右側に位置する右側壁１２ｂと、前記シート１１の左側に位置する左側壁１２ｃとを備え、平面視略Ｕ字状をなすように形成されている。そして、前記パーティション１２は、その後側壁１２ａと左右の両側壁１２ｂ，１２ｃが前記シート１１の後方及び左右両側を覆うようにしてシート１１周りに配置されることにより、該シート１１の周辺に前記座席装置１０の専用スペースＳを加湿対象スペースとして仕切形成するようになっている。航空機におけるファーストクラスの客室（図示略）内には、上記のような座席装置１０が客室内全域よりも狭い空間域となる前記専用スペースＳをパーティション１２により仕切形成された状態で多数設置されている。
【００３２】
前記シート１１は、図示しないスライド機構を介して前後方向へのスライド移動自在とされたシート基部１３を備えており、該シート基部１３の上にクッション材からなる座部１４が設けられている。座部１４の後側縁には背もたれとして機能するバックレスト１５が、その下端部を支点として前後方向へ傾動自在に設けられており、バックレスト１５の上端部にはヘッドレスト１６が設けられている。また、前記座部１４の前側縁にはレッグレスト１７が、その上端部を支点として前後方向への傾動自在に設けられ、座部１４の左右両側縁にはアームレスト１８がそれぞれ設けられている。
【００３３】
そして、本実施形態の座席装置１０では、前記シート１１が、バックレスト１５を略直立とする通常状態、その通常状態からバックレスト１５が後方へ所定角度だけ傾倒されるリクライニング状態、及びそのリクライニング状態からバックレスト１５が更に後方へ傾倒されて略水平となるベッド状態という３つのシート態様を取り得るようになっている。また、パーティション１２における右側壁１２ｂの内面側においてシート１１のバックレスト１５と対応する高さ位置には空気吹出口１９が設けられている。なお、図示はしないが、パーティション１２における左側壁１２ｃの内面側にも前記空気吹出口１９と同様の空気吹出口が設けられている。
【００３４】
また、前記座席装置１０には、パーティション１２の内側に形成された前記専用スペースＳを上方から覆うことが可能なカバー部材２０が装備されている。このカバー部材２０は、座席装置１０の利用者Ｍの操作に基づき、前記専用スペースＳを上方から覆ったり（図１（ｂ）参照）、専用スペースＳを外部に開放したり（図１（ａ）参照）できるようになっている。そして、カバー部材２０が前記専用スペースＳを上方から覆った場合、該専用スペースＳは、一種の小容量閉空間となり、その内部の雰囲気（温度や湿度）がある程度維持されるようになっている。
【００３５】
図１（ｂ）に示すように、前記パーティション１２には、後側壁１２ａの内部に中空部２１が形成されており、該中空部２１は、その下部が前面側へ膨出されて直方体形状のユニット収容室２１ａとされている。そして、このユニット収容室２１ａ内には、前記専用スペースＳ内を加湿するための加湿装置２２（図２参照）を内蔵したユニットボックス２３が配置されると共に、該ユニットボックス２３の後面側と対応する位置で後側壁１２ａの後面側には、前記ユニット収容室２１ａ内への空気の吸い込みを可能とする空気取入口２４が設けられている。前記ユニットボックス２３の上面からはユニット収容室２１ａ内で後方へ屈曲した後に後側壁１２ａの中空部２１内を上方へ延びるように空気導管２５が延設されている。この空気導管２５は、前記左右の各空気吹出口１９に連結されている。そして、本実施形態では、前記加湿装置２２及びパーティション１２により、該パーティション１２が対応する座席装置１０単位での雰囲気環境の調整を可能とする座席専用空調装置（加湿システム）１０Ａが構成されている。
【００３６】
次に、本実施形態の加湿装置２２について図２〜図６に基づき以下説明する。なお、以降の記載において、「左右方向」及び「前後方向」は図２における「左右方向」及び「前後方向」を示すものとする。
【００３７】
図２に示すように、本実施形態の加湿装置２２は、略直方体状をなす本体ケース２６を備えており、該本体ケース２６内には複数（本実施形態では３つ）の加湿ユニット２７Ａ，２７Ｂ，２７Ｃと複数（本実施形態では２つ）の熱交換ユニット２８Ａ，２８Ｂとが設けられている。また、本体ケース２６内において最左端側となる位置には加湿用ファン２９（図３参照）を収容する加湿用送風ユニット３０が設けられると共に、本体ケース２６の後面側には熱交換用ファン（図示略）を収容する熱交換用送風ユニット３１が前記各熱交換ユニット２８Ａ，２８Ｂと個別対応するように複数（本実施形態では２つ）設けられている。
【００３８】
図２及び図３に示すように、前記本体ケース２６の右側面には、前記パーティション１２の後側壁１２ａに形成された空気取入口２４を介して前記ユニット収容室２１ａ内に流入した客室内の環境空気たる加湿用の空気（以下、「加湿用空気」と示す。）を本体ケース２６内に吸入するための加湿用吸入口３２が形成されている。また、本体ケース２６の上面において前記加湿用送風ユニット３０の上方となる位置には、前記本体ケース２６内から加湿用空気を外部に吹き出すための加湿用吹出口３３が設けられている。
【００３９】
さらに、前記本体ケース２６の前面には、該本体ケース２６内に熱交換用の気体となる空気（以下、「熱交換用空気」と示す。）を吸入するための熱交換用吸入口３４が前記各熱交換ユニット２８Ａ，２８Ｂと個別対応するように複数（本実施形態では２つ）形成されている。そして、本体ケース２６の後面側において前記熱交換用送風ユニット３１の後面には、前記本体ケース２６内から熱交換用空気を外部に吹き出すための熱交換用吹出口（図示略）が複数（本実施形態では合計２つ）形成されている。
【００４０】
また、前記本体ケース２６内において、各加湿ユニット２７Ａ〜２７Ｃ及び各熱交換ユニット２８Ａ，２８Ｂは、加湿用吸入口３２側（上流側）から加湿用吹出口３３側（下流側）へ、最右端側（最上流側）には第１加湿ユニット２７Ａが配置される配置態様で、交互に配置されている。すなわち、本体ケース２６内には、右側から左側へ、第１加湿ユニット２７Ａ、第１熱交換ユニット２８Ａ、第２加湿ユニット２７Ｂ、第２熱交換ユニット２８Ｂ及び第３加湿ユニット２７Ｃの順で、前記各ユニット２７Ａ〜２７Ｃ，２８Ａ，２８Ｂが連続するように配置されている。
【００４１】
前記各加湿ユニット２７Ａ〜２７Ｃは、ユニット用ケース３５をそれぞれ備えており、該各ユニット用ケース３５の左右両側面には前記加湿用吸入口３２と略同一形状をなす開口３５ａがそれぞれ形成されている。各ユニット用ケース３５内には、蛇行形状をなす配水管３６がそれぞれ収容されており、該各配水管３６内には、本体ケース２６外に配設された水分補給タンク（水分供給手段）ＷＴを介して加湿用水（水分）が供給されるようになっている。各配水管３６は防水透湿機能を有する素材にて形成されており、本実施形態では、前記各配水管３６（特に、防水透湿機能を有する素材にて形成された管壁）が加湿用水により湿潤状態とされる加湿部として機能する構成とされている。
【００４２】
そして、前記加湿用ファン２９の駆動に基づき前記加湿用吸入口３２から本体ケース２６内に吸入された加湿用空気は、各加湿ユニット２７Ａ〜２７Ｃ内を通過する際、図３に示すように、各ユニット用ケース３５内の蛇行した配水管３６の隙間３６ａを通過するようになっている。その際に、配水管３６内の加湿用水（水分）は、その一部が気化することにより配水管３６外へ透過し、加湿ユニット２７Ａ〜２７Ｃ内を通過する加湿用空気と共に加湿用吹出口３３側（下流側）へ流動するようになる。そして、前記加湿用空気は、各加湿ユニット２７Ａ〜２７Ｃにおいてユニット用ケース３５内の前記配水管３６の隙間３６ａを通過することにより加湿され、その際に、前記加湿用水の気化潜熱によって、その温度が低下することになる。
【００４３】
一方、前記各熱交換ユニット２８Ａ，２８Ｂには、複数本（本実施形態では２本）の扁平管３７と複数（本実施形態では３つ）の熱交換用フィン（例えばコルゲートフィン）３８とが積層状態をなすようにそれぞれ配設されており、各扁平管３７及び各熱交換用フィン３８は、金属材料（例えば、アルミニウム）により形成されている。前記各扁平管３７は、その内側の管路３７ａが左右方向に沿うように配設されており、該管路３７ａ内を上流側の加湿ユニット（例えば第１加湿ユニット２７Ａ）から流入した加湿用空気が通過するようになっている。
【００４４】
すなわち、本実施形態では、前記各加湿ユニット２７Ａ〜２７Ｃにおける蛇行した各配水管３６の隙間３６ａ及び前記各熱交換ユニット２８Ａ，２８Ｂにおける各扁平管３７の管路３７ａにより、加湿用吸入口３２から加湿用吹出口３３に向けて加湿用空気が通過する加湿用空気通路（空気流路）Ｐが形成されている。そして、この加湿用空気通路Ｐ上に（すなわち、その通路方向に沿って）、前述した各加湿ユニット２７Ａ〜２７Ｃ及び各熱交換ユニット２８Ａ，２８Ｂは、加湿用空気の通過方向の上流側から下流側へ交互に配置されている。
【００４５】
その一方で、前記各熱交換用ファンの駆動に基づき前記各熱交換用吸入口３４から本体ケース２６内に吸入された熱交換用空気は、各熱交換ユニット２８Ａ，２８Ｂ内を通過する際、各熱交換用フィン３８を収容配置して前後方向に延びる熱交換用空気通路（気体流路）３９内を後方に向けて通過するようになっている。この熱交換用空気通路３９は、各熱交換ユニット２８Ａ、２８Ｂ内において、前記各扁平管３７の管路３７ａ（加湿用空気通路Ｐ）と各扁平管３７の管壁で仕切形成されており、管路３７ａ（加湿用空気通路Ｐ）内を通過する加湿用空気と熱交換用空気通路３９内を通過する熱交換用空気とが混ざらないようにしている。そして、前記扁平管３７の管路３７ａ内を加湿用空気が通過すると共に前記熱交換用空気通路３９内を熱交換用空気が通過する際に、該熱交換用空気が各熱交換用フィン３８及び各扁平管３７の管壁を介して各扁平管３７の管路３７ａ内を通過する加湿用空気と熱交換するようになっている。
【００４６】
このように、本実施形態おいて、加湿用空気は、前記加湿用空気通路Ｐ内を上流側から下流側へ通過する際に、各加湿ユニット２７Ａ〜２７Ｃでの加湿作用と各熱交換ユニット２８Ａ，２８Ｂでの熱交換作用を交互に受けるようになっている。すなわち、加湿用空気は、各加湿ユニット２７Ａ〜２７Ｃで加湿されて温度低下した後、各熱交換ユニット２８Ａ，２８Ｂにおいて各扁平管３７の管路３７ａ内を通過する際に、各扁平管３７の管壁及び各熱交換用フィン３８を介して熱交換用空気と熱交換することにより、その温度が上昇するようになっている。そして、本実施形態では、前記各扁平管３７の管壁が熱交換ユニット２８Ａ，２８Ｂにおいて熱交換用空気通路（気体流路）３９を加湿用空気通路Ｐ（管路３７ａ）と仕切形成する熱交換部として機能するように構成されている。
【００４７】
ここで、本実施形態の加湿装置２２との対比の便宜上、従来技術に相当する比較例の加湿装置の構成及びその作用について、図４及び図５を参照しながら説明する。
図４に示すように、この比較例の加湿装置５０には、図４における右側から左側に向けて順に加熱器（ヒータ等の熱源）５１と、加湿ユニット（本実施形態の各加湿ユニット２７Ａ〜２８Ｃに相当する）５２と、加湿用ファン５３とが設けられている。そして、加湿用ファン５３の駆動に基づいて、加湿装置５０の右端に形成された吸入口（図示略）を介して加湿用空気が加湿装置５０内に吸入され、加湿装置５０内を通過した加湿用空気が吹出口５４を介して加湿装置５０外に吹き出されるようになっている。
【００４８】
前記加熱器５１は、その駆動に基づいて、図５（ａ）に示すように、該加熱器５１内を通過する加湿用空気を所定温度まで昇温させる。この際に、加熱器５１内においては、図５（ｂ）に示すように、加湿用空気が加湿されることはない。そのため、加湿用空気は、加熱器５１内にて昇温されても加湿されることはないから、図５（ｃ）に示すように、その相対湿度が加熱器５１内に吸入される直前に比して低下する。
【００４９】
そして次に、前記加熱器５１によって所定温度まで昇温された加湿用空気は、前記加湿ユニット５２内を通過する際に加湿される。すなわち、加湿用空気は、加湿ユニット５２内を通過する際に、その水分含有量（絶対湿度）が次第に増加する（図５（ｂ）参照）。この際に、加湿用空気は、加湿用水の気化潜熱に基づき、水分含有量が増加するにつれて、その温度が次第に低下する（図５（ａ）参照）。そして、加湿用空気は、加湿ユニット５２内にて加湿されつつ温度が低下することになるから、その相対湿度が加湿ユニット５２内に吸入される直前に比して上昇する（図５（ｃ）参照）。
【００５０】
そして、加湿ユニット５２内を通過した加湿用空気は、その水分含有量が所定量に到達すると共に、その温度が加湿装置５０内に吸入される直前の温度と略同一の温度（若干低い温度）となり、その後、吹出口５４から吹き出される。しかし、比較例の加湿装置５０では、図５（ｄ）に示すように、前記加熱器５１内にて加湿用空気を加熱するために、トータルの消費電力量が多くなっている。
【００５１】
そこで次に、上記比較例の加湿装置５０に比して加湿性能が優れる本実施形態の加湿装置２２の作用について図６に基づき以下説明する。
さて、加湿装置２２の本体ケース２６内には、加湿用ファン２９の駆動に基づき加湿前の加湿用空気が加湿用吸入口３２を介して吸入され、各熱交換ユニット２８Ａ，２８Ｂの熱交換用空気通路３９内には、各熱交換用ファンの駆動に基づき熱交換前の熱交換用空気が各熱交換用吸入口３４を介して吸入される。そして、加湿用空気は、第１加湿ユニット２７Ａ内を、該第１加湿ユニット２７Ａ内における配水管３６の隙間３６ａを縫うように通過し、その際に、加湿される。すなわち、加湿用空気は、図６（ｂ）に示すように、該加湿用空気内に含まれる水分含有量（絶対湿度）が次第に増加すると共に、図６（ａ）に示すように、その温度が加湿用水の気化潜熱によって低下する。また、第１加湿ユニット２７Ａ内を通過した加湿用空気は、図６（ｃ）に示すように、その相対湿度が飽和するため、この時点の加湿用空気の温度においてさらに加湿されることはない。
【００５２】
そして次に、前記第１加湿ユニット２７Ａ内を通過した加湿用空気は、第１熱交換ユニット２８Ａ内に流入する。すると、熱交換用空気通路３９内を通過する熱交換用空気の温度の方が前記第１加湿ユニット２７Ａ内を通過した後の加湿用空気の温度よりも高温であるため、各扁平管３７の管路３７ａ内を通過する加湿用空気は前記熱交換用空気との熱交換により昇温させられる（図６（ａ）参照）。
【００５３】
また、この場合、加湿用空気は、第１熱交換ユニット２８Ａ（各扁平管３７）内を通過する際に加湿されないため、その水分含有量が増加することはない（図６（ｂ）参照）。そして、この際に、加湿用空気は、その温度が上昇しても水分含有量が一定であることから、その相対湿度が低下する（図６（ｃ）参照）。そして、このように第１熱交換ユニット２８Ａ内を通過した加湿用空気は、第１熱交換ユニット２８Ａ内に流入する直前の加湿用空気の温度よりも高温であって、且つ本体ケース２６内に吸入される直前の加湿用空気（加湿前の加湿用空気）の温度よりも僅かに低温になる。
【００５４】
そして次に、前記第１熱交換ユニット２８Ａ内を通過した加湿用空気は、第２加湿ユニット２７Ｂ内を、該第２加湿ユニット２７Ｂ内における配水管３６の隙間３６ａを縫うように通過し、その際に、加湿される。すなわち、加湿用空気は、該加湿用空気内に含まれる水分含有量が次第に増加する（図６（ｂ）参照）と共に、その温度が加湿用水の気化潜熱によって低下する（図６（ａ）参照）。ただし、第２加湿ユニット２７Ｂ内を通過した加湿用空気は、含有水分の増加量が前記第１加湿ユニット２７Ａ内を通過したときに比して少量であるため、第１加湿ユニット２７Ａ内を通過した時点の加湿用空気よりも高温となる。また、第２加湿ユニット２７Ｂ内を通過した加湿用空気は、その相対湿度が飽和する（図６（ｃ）参照）。
【００５５】
そして次に、前記第２加湿ユニット２７Ｂ内を通過した加湿用空気は、第２熱交換ユニット２８Ｂ内に流入する。すると、熱交換用空気通路３９内を通過する熱交換用空気の温度の方が前記第２加湿ユニット２７Ｂ内を通過した後の加湿用空気の温度よりも高温であるため、各扁平管３７の管路３７ａ内を通過する加湿用空気は前記熱交換用空気との熱交換により昇温させられる（図６（ａ）参照）。
【００５６】
また、この場合、加湿用空気は、第２熱交換ユニット２８Ｂ内を通過する際には加湿されないため、その水分含有量が増加することはない（図６（ｂ）参照）。そして、この際に、加湿用空気は、その温度が上昇しても水分含有量が一定であることから、その相対湿度が低下する（図６（ｃ）参照）。そして、このように第２熱交換ユニット２８Ｂ内を通過した加湿用空気は、第２熱交換ユニット２８Ｂ内に流入する直前の加湿用空気の温度よりも高温であって、且つ本体ケース２６内に吸入される直前の加湿用空気（加湿前の加湿用空気）の温度よりも僅かに低温になる。
【００５７】
そして次に、前記第２熱交換ユニット２８Ｂ内を通過した加湿用空気は、第３加湿ユニット２７Ｃ内を、該第３加湿ユニット２７Ｃ内における配水管３６の隙間３６ａを縫うように通過し、その際に、加湿される。すなわち、加湿用空気は、該加湿用空気内に含まれる水分含有量が次第に増加する（図６（ｂ）参照）と共に、その温度が加湿用水の気化潜熱によって低下する（図６（ａ）参照）。そして、第３加湿ユニット２７Ｃ内を通過した加湿用空気は、含有水分の増加量が前記第２加湿ユニット２７Ｂ内を通過したときに比して少量であるため、第２加湿ユニット２７Ｂ内を通過した時点の加湿用空気よりも高温となる。したがって、加湿用空気は、上記のように充分に加湿されても、その温度が本体ケース２６内に吸入される直前の加湿用空気の温度と略同一の温度（加湿装置２２にて加湿される前よりも５℃程度低い温度）とされる。
【００５８】
そして、第３加湿ユニット２７Ｃ内を通過した加湿用空気は、前記本体ケース２６内から加湿用吹出口３３を介して加湿装置２２外に吹き出され、空気導管２５及び空気吹出口１９を介して専用スペースＳ内に吹き出される。そのため、この専用スペースＳ内が乾燥することが、良好に抑制される。また、本実施形態の加湿装置２２においては、加湿用水の気化潜熱に基づく加湿用空気の温度低下が、上記比較例の加湿装置５０の場合とは異なり、ヒータなどの熱源を利用することなく抑制される。したがって、図６（ｄ）に示すように、加湿装置２２の消費電力量が比較例の加湿装置５０に比して良好に低減される。
【００５９】
したがって、本実施形態では、以下に示す効果を得ることができる。
（１）加湿用空気（加湿用の空気）は、各加湿ユニット２７Ａ〜２７Ｃにおいて各配水管３６の隙間（空気流路）３６ａを通過する際に、防水透湿膜からなる各配水管３６の管壁に接触するため、該各配水管３６の管壁を透過した加湿用水（水分）を含有することにより加湿され、その際の加湿用水の気化潜熱により温度が低下することになる。しかし、加湿用水の気化潜熱に基づく加湿用空気の温度低下の度合いは、各熱交換ユニット２８Ａ，２８Ｂにおいて熱交換用空気が加湿用空気（加湿されて温度低下した加湿用空気）と熱交換するため、温度低下の抑制された加湿後の加湿用空気が得られるようになる。したがって、加湿に伴う温度低下を消費電力量が多大なヒータ等を用いることなく最小限に抑制でき、省エネルギー化を図りつつ良好な加湿性能を得ることができる。
【００６０】
（２）熱交換ユニット２８Ａ，２８Ｂの各扁平管（熱交換部）３７において、各熱交換用空気通路（気体流路）３９を通過する熱交換用空気が、各扁平管３７の管路（空気流路）３７ａを通過する加湿用空気と混じり合うことはない。そのため、加湿用空気と熱交換することにより、加湿ユニット２７Ａ〜２７Ｃの加湿作用によって加湿用空気が温度低下する程度を好適に抑制できる。
【００６１】
（３）熱交換前の熱交換用空気（熱交換用の気体）は、その温度が加湿前の加湿用空気の温度と同じであるため、本実施形態の加湿装置２２においては、熱交換用空気の熱交換作用により、加湿される前の加湿用空気の温度とほぼ同じ温度の加湿用空気（加湿後の加湿用空気）を得ることができる。
【００６２】
（４）前記熱交換用気体として、熱交換用の気体として別途に高温ガス等を使用せずに、加湿用空気でもある客室内の環境空気を使用するため、ランニングコストが嵩むこともない。
【００６３】
（５）加湿ユニット２７Ａ〜２７Ｃを通過することで温度低下して相対湿度が高くなった加湿用空気は、次に熱交換ユニット２８Ａ，２８Ｂを通過することで温度上昇して相対湿度が低くなる。そのため、再び加湿ユニット２７Ａ〜２７Ｃを通過する際には更なる加湿が促進され、その結果、加湿用空気における絶対湿度（水分含有量）を容易に高くできるようになり、高い加湿性能を得ることができる。
【００６４】
（６）本実施形態の加湿装置２２はシート１１と共に座席装置１０を構成するパーティション（シート周りモジュール）１２に装備されているので、該パーティション１２が対応する座席装置１０単位での環境空気の加湿を図ることができる。また、換言すると、パーティション１２により客室内全域よりも狭い空間域に仕切形成された専用スペース（加湿対象スペース）Ｓの加湿を図ることになるため、その加湿効率を消費電力の低減を図りつつ好適に向上することができる。
【００６５】
（７）シート周りモジュールを構成するパーティション１２により仕切形成された座席装置１０の専用スペースＳは、該専用スペースＳの上方がカバー部材２０により覆われた場合、厳密な意味での密閉空間とはならないが、一種の小容量閉空間となる。したがって、そのような小容量閉空間の環境空気を加湿することになる加湿装置２２では、より一層、その消費電力を低減することができる。
【００６６】
（第２の実施形態）
次に、本発明の第２の実施形態を図７〜図９に従って説明する。なお、第２の実施形態は、加湿装置の構成が第１の実施形態と異なっている。したがって、以下の説明においては、第１の実施形態と相違する部分（すなわち、加湿装置）について主に説明するものとし、第１の実施形態と同一又は相当する部材構成には同一符号を付して重複説明を省略するものとする。また、以降の記載において、「左右方向」及び「前後方向」は図７における「左右方向」及び「前後方向」を示すものとする。
【００６７】
図７及び図８に示すように、本実施形態の加湿装置６０は、下側が開口した略直方体状をなす金属製（例えば、アルミニウム製）の本体ケース６１と、該本体ケース６１の下側に接合されて加湿用水Ｗを貯留する加湿用水タンク（水分供給手段）６２とを備えている。前記本体ケース６１内において最左端側となる位置には加湿用ファン２９（図８参照）を収容する加湿用送風ユニット３０が設けられると共に、本体ケース６１の後面側には熱交換用ファン（図示略）を収容する熱交換用送風ユニット３１が配設されている。また、前記本体ケース６１の右側面には加湿用吸入口３２が形成されると共に、本体ケース６１の上面において前記加湿用送風ユニット３０の上方となる位置には、前記本体ケース６１内から加湿用空気を外部に吹き出すための加湿用吹出口３３が設けられている。
【００６８】
前記本体ケース６１の前面側及び後面側には、それぞれ複数個（本実施形態では各４５個ずつ）の貫通孔６１ａが左右方向及び上下方向に整列した状態で形成されている。これら前面側及び後面側の各貫通孔６１ａに前後両端を挿通支持されるようにして、本体ケース６１内には、略円筒形状をなす金属製（例えば、アルミニウム製）の熱交換用パイプ６３が複数本（本実施形態では４５本）設けられている。そして、前記熱交換用送風ユニット３１の熱交換用ファンが駆動された場合には、本体ケース６１の前面側から熱交換用空気が前記各熱交換用パイプ６３の内側空間（気体流路）６３ａを後面側に向けて通過するようになっている。なお、以下の説明においては、上下方向に整列する各熱交換用パイプ６３の集合体のことを、「熱交換用パイプ列６３Ａ」と示すものとする。
【００６９】
前記本体ケース６１内には、複数（本実施形態では９つ）の熱交換用パイプ列６３Ａが形成されており、互いに隣り合う熱交換用パイプ列６３Ａの間には、吸水性を有する加湿用フィルタ６４がそれぞれ介装されている。各加湿用フィルタ６４は、左右方向で隣接する熱交換用パイプ６３の外面６３ｂ間に挟持された状態で本体ケース６１内に保持されている。また、各加湿用フィルタ６４は、その下端部が前記加湿用水タンク６２内の加湿用水Ｗに浸されており、その吸水作用（「毛細管現象」ともいう。）によって常に加湿用水Ｗを吸い込んだ湿潤状態にある。すなわち、本実施形態では、この加湿用フィルタ６４により、加湿ユニット及び加湿部が構成されている。
【００７０】
そして、前記加湿用ファン２９の駆動に基づき本体ケース６１内に吸入された加湿用空気は、本体ケース６１内において上下方向に間隔をおいて並ぶ各熱交換用パイプ６３の隙間に形成される空気流路としての加湿用空気通路（図８にて一点鎖線で示す。）６５を右側から左側に向けて通過するようになっている。そして、加湿用空気は、各加湿用フィルタ６４を透過（通過）する度に、該各加湿用フィルタ６４を湿潤している加湿用水Ｗとの接触により加湿されると共に、各熱交換用パイプ６３の外面６３ｂと接触するように加湿用空気通路６５を通過する度に、各熱交換用パイプ６３の内側空間６３ａを通過する熱交換用空気と熱交換するようになっている。したがって、本実施形態では、前記各熱交換用パイプ６３が、その外面６３ｂが加湿用空気通路６５を通過する加湿用空気及び加湿用フィルタ６４と接触する熱交換用筒状体、及び、その内側空間６３ａが気体流路とされる熱交換部として機能するようになっている。
【００７１】
次に、本実施形態の加湿装置６０の作用について図９に基づき以下説明する。
さて、加湿装置６０の本体ケース６１内には、加湿用ファン２９の駆動に基づき加湿前の加湿用空気が加湿用吸入口３２を介して吸入され、加湿装置６０の各熱交換用パイプ６３内には、熱交換用ファンの駆動に基づき熱交換前の熱交換用空気が供給される。すると、この熱交換用空気は、各熱交換用パイプ６３内の内側空間６３ａを通過する際に、加湿用空気通路６５を通過する加湿用空気と熱交換すると共に、各加湿用フィルタ６４（加湿用フィルタ６４内の加湿用水Ｗ）と熱交換し、該各加湿用フィルタ６４に吸収されている加湿用水Ｗは、その温度が熱交換前の熱交換用空気と略同一の温度にまで上昇する。
【００７２】
この状態で、前記加湿用ファン２９の駆動に基づき本体ケース６１内に供給された加湿用空気は、加湿用空気通路６５内を通過する際に、加湿用フィルタ６４を透過することにより加湿される。すなわち、図９（ｂ）に示すように、加湿用空気内に含まれる水分含有量（絶対湿度）が増加すると共に、図９（ｃ）に示すように、加湿用空気の相対湿度は上昇する。また、この場合、図９（ａ）に示すように、加湿用水Ｗの気化潜熱に基づき、加湿用空気は、その温度が低下する。ただし、加湿用水Ｗも熱交換用空気との熱交換により温度が上昇させられているため、その温度低下の度合いは、前記第１の実施形態の場合よりも小さなものとなる。
【００７３】
そして次に、加湿用フィルタ６４を透過した加湿用空気は、上下方向に整列された各熱交換用パイプ６３間（加湿用空気通路６５）を通過する。すると、各熱交換用パイプ６３の内側空間６３ａを通過する熱交換用空気の温度の方が加湿用空気通路６５を通過する加湿用空気の温度よりも高温であるため、各加湿用空気通路６５を通過する加湿用空気は前記熱交換用空気との熱交換により昇温させられる（図９（ａ）参照）。そして、この際に、加湿用空気は、加湿されないため、その水分含有量が増加しない（図９（ｂ）参照）と共に、その相対湿度が低下する（図９（ｃ）参照）。そして、各熱交換用パイプ６３によって昇温された加湿用空気は、次の加湿用フィルタ６４を透過する。
【００７４】
このように、加湿用フィルタ６４による加湿作用、及び各熱交換用パイプ６３による昇温作用が繰り返された加湿用空気には、所定量の水分が含まれると共に、その温度が本体ケース６１内に吸入される前の加湿用空気の温度に比して略同一の温度（ほんの僅かだけ低い温度）にされる。そして、本体ケース６１内を通過した加湿用空気は、前記加湿用吹出口３３を介して加湿装置６０外に吹き出され、空気導管２５及び空気吹出口１９を介して専用スペースＳ内に吹き出される。そのため、本実施形態の加湿装置６０においては、加湿用水Ｗの気化潜熱に基づく加湿用空気の温度低下が、ヒータなどの熱源を利用することなく抑制される。したがって、図９（ｄ）に示すように、加湿装置６０の消費電力量が比較例の加湿装置５０に比して良好に低減される。
【００７５】
本実施形態では、さらに以下に示す効果をも得ることができる。
（８）加湿用水タンク（水分供給手段）６２から供給される加湿用水Ｗによって加湿用フィルタ６４は常に湿潤状態とされる。そのため、加湿用フィルタ６４を透過（通過）する加湿用空気を確実に加湿できると共に、そのような加湿用フィルタ６４が劣化したような場合には、当該加湿用フィルタ６４を交換装着することで容易にメンテナンスすることができる。
【００７６】
（９）各熱交換用パイプ（熱交換用筒状体）６３は、その外面６３ｂが加湿用空気通路（空気流路）６５を通過する加湿用空気と加湿用フィルタ（加湿部）６４との両方に接触している。すなわち、各熱交換用パイプ６３は、気体同士の熱交換よりも熱交換効率のよい気体（熱交換用空気）−液体（加湿用フィルタ６４内の加湿用水Ｗ）の熱交換も行う。したがって、加湿効率及び熱交換効率を高くすることができることから、装置全体を小型化することができる。
（第３の実施形態）
次に、本発明の第３の実施形態を図１０〜図１２に従って説明する。なお、第３の実施形態は、加湿装置の構成が第１の実施形態と異なっている。したがって、以下の説明においては、第１の実施形態と相違する部分（すなわち、加湿装置）について主に説明するものとし、第１の実施形態と同一又は相当する部材構成には同一符号を付して重複説明を省略するものとする。また、以降の記載において、「左右方向」及び「前後方向」は図１０における「左右方向」及び「前後方向」を示すものとする。
【００７７】
図１０及び図１１に示すように、本実施形態の加湿装置７０は、略直方体状をなす金属製（例えば、アルミニウム製）の本体ケース７１と加湿用水タンク（水分供給手段）７２とを備えている。前記本体ケース７１内において最左端側となる位置には加湿用ファン（図示略）を収容する加湿用送風ユニット３０が配設されると共に、本体ケース７１の後面側には熱交換用ファン３１ａ（図１１参照）を収容する熱交換用送風ユニット３１が配設されている。また、前記本体ケース７１の右側面には加湿用吸入口３２が形成されると共に、本体ケース７１の上面において前記加湿用送風ユニット３０の上方となる位置には加湿用吹出口３３が設けられている。また、本体ケース７１の前面側には熱交換用吸入口３４が形成されると共に、本体ケース７１の後面側には前記熱交換用吸入口３４と対応するように後面側開口７１ａが形成されている。そして、この本体ケース７１の後面側開口７１ａと対応するように、熱交換用送風ユニット３１の前面側には前面側開口３１ｂが形成されると共に、その後面側には熱交換用吹出口３１ｃが形成されている。
【００７８】
前記本体ケース７１内には、金属製（例えば、アルミニウム製）の熱交換ユニットとしての熱交換器（熱交換部）７３が複数（本実施形態では３つ）設けられており、該各熱交換器７３は左右方向に沿うように配置されている。各熱交換器７３は、２枚の熱交換用プレート７４と側面視波形状をなす熱交換用フィン７５とを備えており、各熱交換用プレート７４が熱交換用フィン７５を挟んだ状態となるように形成されている。そして、各熱交換用プレート７４と熱交換用フィン７５との間には、前後方向に延びる熱交換用空気通路（気体流路）７６が形成されている。
【００７９】
前記各熱交換器７３の間には、長板状をなすスペーサ７７が複数配設されており、該各スペーサ７７によって各熱交換器７３の間には、加湿用空気通路（空気流路）７８が確保されている。そして、加湿用ファン２９の駆動に基づき本体ケース７１内に吸入された加湿用空気は、各加湿用空気通路７８内を通過して加湿用吹出口３３から加湿装置７０外へ吹き出されるようになっている。なお、各スペーサ７７のうち最も熱交換用吸入口３４側に配置されるスペーサ７７は、熱交換用ファン３１ａの駆動に基づき本体ケース７１内に吸入された熱交換用空気が各加湿用空気通路７８内に入り込まないようにする仕切り機能を有している。
【００８０】
また、本体ケース７１内には、前記加湿用水タンク７２から給水管７９が延設されており、該給水管７９からは、本体ケース７１内において複数本（本実施形態では２本）の断面略扁平状をなす分岐給水管（水分供給流路）７９ａが分岐形成されている。前記各分岐給水管７９ａは、前記各熱交換器７３の下面７３ａ（熱交換用プレート７４の下面７４ａ）に沿うように配置されており、各分岐給水管７９ａの管壁には複数の細孔（図示略）が形成されている。また、本体ケース７１内（各熱交換器７３の間）には、分岐給水管７９ａと加湿用空気通路７８との間を仕切る防水透湿膜８０が設けられており、分岐給水管７９ａの各細孔から吐出した加湿用水Ｗは、気化することにより防水透湿膜８０を透過して加湿用空気通路７８内に流入するようになっている。
【００８１】
すなわち、本実施形態では、前記防水透湿膜８０により、加湿部及び加湿ユニットが構成されている。そして、この防水透湿膜８０は、熱交換用プレート７４の下面７４ａに沿うように配置されている。したがって、本実施形態では、加湿ユニットを構成する防水透湿膜８０と熱交換ユニットを構成する熱交換器７３（具体的には、その熱交換用プレート７４）とが、加湿用空気通路７８に沿って平行な配置態様（換言すると、加湿用空気通路７８を両側から挟んで対向する配置態様）となるように配置されている。そして、この熱交換用空気は、各熱交換器７３の熱交換用空気通路７６を通過する際に、加湿用空気通路７８を通過する加湿用空気と熱交換すると共に、各分岐給水管７９ａ（分岐給水管７９ａ内の加湿用水Ｗ）と熱交換し、該各分岐給水管７９ａ内の加湿用水Ｗは、その温度が熱交換前の熱交換用空気と略同一の温度にまで上昇する。
【００８２】
次に、本実施形態の加湿装置７０の作用について図１２に基づき以下説明する。
さて、加湿装置７０の本体ケース７１内には、加湿用ファンの駆動に基づき加湿前の加湿用空気が加湿用吸入口３２を介して吸入され、各熱交換器７３内の熱交換用空気通路７６には、熱交換用ファン３１ａの駆動に基づき熱交換前の熱交換用空気が熱交換用吸入口３４を介して供給される。すると、この熱交換用空気は、各熱交換器７３内の熱交換用空気通路７６を通過する際に、加湿用空気通路７８を通過する加湿用空気と熱交換すると共に、各分岐給水管７９ａ内の加湿用水Ｗと熱交換し、該各分岐給水管７９ａ内の加湿用水Ｗは、その温度が熱交換前の熱交換用空気と略同一の温度にまで上昇する。
【００８３】
そして、本実施形態では、この昇温された加湿用水Ｗのうち気化した加湿用水Ｗが防水透湿膜８０を透過することにより前記加湿用空気通路７８内を通過する加湿用空気を加湿する作用と、この加湿用空気通路７８内を通過する加湿用空気に対する前記熱交換用空気通路７６を通過する熱交換用空気による熱交換作用とが同時進行的に行われる。
【００８４】
すなわち、加湿用空気は、熱交換器７３（熱交換用空気）との熱交換によって昇温された加湿用水Ｗを含むようになるため、加湿用水Ｗの気化潜熱に基づく温度の低下が抑制される。また、これと同時に、加湿用空気は、熱交換器７３の上面７３ｂ（熱交換用プレート７４の上面）に沿って加湿用空気通路７８内を通過するため、熱交換用プレート７４を介して熱交換用空気と熱交換することになり、温度低下がより確実に抑制される。そのため、図１２（ａ）（ｂ）（ｃ）に示すように、加湿用空気は、本体ケース７１内を通過する際に、徐々に水分含有量（絶対湿度）及び相対湿度が増加すると共に、水分含有量の増加に伴い温度が少しずつ低下する。
【００８５】
そして、本体ケース７１内を通過した加湿用空気は、前記加湿用吹出口３３を介して加湿装置７０外に放出され、空気導管２５及び空気吹出口１９を介して専用スペースＳ内に吹き出される。そのため、本実施形態の加湿装置７０においては、加湿用水Ｗの気化潜熱に基づく加湿用空気の温度低下が、ヒータなどの熱源を利用することなく抑制される。したがって、図１２（ｄ）に示すように、加湿装置７０の消費電力量が比較例の加湿装置５０に比して良好に低減される。
【００８６】
本実施形態では、さらに以下に示す効果をも得ることができる。
（１０）防水透湿膜８０（加湿ユニット）による加湿用空気に対する加湿作用（気化潜熱により温度を低下させる作用）と熱交換器（熱交換ユニット）７３による熱交換作用（加湿用空気の温度低下抑制作用）が同時進行的に行われることになる。そのため、加湿用空気通路（空気流路）７８を通過する途中で加湿用空気の温度変化を最小限にできる。
【００８７】
（１１）給水管７９及び分岐給水管（水分供給流路）７９ａを介して加湿用水Ｗを防水透湿膜（加湿部）８０にて構成される加湿ユニットへ導入すれば、その加湿用水Ｗが防水透湿膜８０を介して迅速に気化して加湿用空気通路（空気流路）７８内を通過する加湿用空気を加湿するため、良好な加湿効率を簡単に得ることができる。
【００８８】
なお、前記各実施形態は以下のような別の実施形態（別例）に変更してもよい。
・前記第２の実施形態において、各加湿用フィルタ６４は、図１３に示すように、側面視波形状をなすように曲げ形成されたものであってもよい。この構成によれば、熱交換用パイプ６３の外面６３ｂと各加湿用フィルタ６４との接触面積が大きくなるため、熱交換用パイプ６３の内側空間６３ａを通過する熱交換用空気と加湿用フィルタ６４を湿潤している加湿用水Ｗとの熱交換効率が向上する。
【００８９】
・前記第２の実施形態において、各熱交換用パイプ６３は、その内部に熱交換用空気を通過させる内側空間６３ａが形成されたものであれば、その断面形状が円筒形状以外の任意の形状をなすパイプであってもよい。例えば、図１４に示すように、断面四角筒形状をなす熱交換用パイプ９０であってもよい。この構成によれば、熱交換用パイプ９０の外面９０ａに沿って加湿用空気通路６５が真っ直ぐに形成されることになり、断面円筒形状の熱交換用パイプ６３の場合よりも、加湿用空気が加湿用空気通路６５を抵抗少なく通過することになる。
【００９０】
・前記第３の実施形態において、給水管７９から分岐形成された各分岐給水管７９ａは、それらの管壁が防水透湿機能を有する素材にて形成されたものであってもよい。この場合、本体ケース７１内に防水透湿膜８０を設けなくてもよい。すなわち、各分岐給水管７９ａが加湿部としても機能することになる。
【００９１】
・前記第１の実施形態において、各加湿ユニット２７Ａ〜２７Ｃは、配水管３６に代えて吸水性を有する加湿用フィルタにより加湿部を構成するものであってもよい。また、第３の実施形態において、加湿ユニットは、分岐給水管７９ａから給水される防水透湿膜８０ではなく、吸水性を有する加湿用フィルタにより加湿部を構成するものであってもよい。なお、これらの場合、加湿用フィルタに給水するための加湿用水タンクを併設する必要がある。
【００９２】
・前記第３の実施形態において、各熱交換器７３の上面７３ｂ側にも、図１５に示すように、加湿ユニットを設けてもよい。すなわち、給水管７９からは、各熱交換器７３の上面７３ｂ及び下面７３ａの各々に沿うように分岐給水管７９ａを分岐形成し、該各分岐給水管７９ａをそれぞれ覆うように防水透湿膜８０を配設する。このように構成した場合、各熱交換器７３は、加湿用空気通路７８内を通過する加湿用空気ではなく、各分岐給水管７９ａ内の加湿用水Ｗと熱交換するようになる。
【００９３】
・前記第２の実施形態において、各加湿用フィルタ６４は、本体ケース６１内における加湿用空気の通過方向に沿うように配置されてもよい。
・前記第１の実施形態において、熱交換ユニット（第１熱交換ユニット２８Ａ）が加湿用空気通路Ｐの最上流側（本体ケース２６内における右端側）に配置されてもよい。
【００９４】
・前記各実施形態において、熱交換用の気体は、加湿用空気と同様の航空機客室内の環境空気ではなく、例えば別途設けた圧縮機などから供給される高温ガスなどの任意の気体であってもよい。
【００９５】
・前記各実施形態において、加湿装置２２，６０，７０には、座席装置１０の専用スペースＳ内を暖房することを目的としたヒータを更に備えた構成であってもよい。この場合、ヒータは、本体ケース２６，６１，７１と加湿用ファン２９との間に配置されることが望ましい。
【００９６】
・前記各実施形態において、加湿ユニットは、加湿用水タンク内に貯留されている加湿用水Ｗを超音波振動させるための超音波発生源を備えた「いわゆる超音波式の加湿機（加湿ユニット）」であってもよい。この場合、加湿用水タンク内の加湿用水Ｗは、超音波発生源が発生する超音波に基づき超音波振動することにより、気化することになる。
【００９７】
・前記各実施形態において、冷房目的で専用スペースＳ内の温度を低下させたい場合には、熱交換用ファン３１ａを駆動させなくてもよい。この場合、専用スペースＳ内に吹き出される加湿後の加湿用空気は、加湿用水Ｗの気化潜熱によって、その温度が低下している。そのため、専用スペースＳ内を、適度に加湿しつつ温度を低下させて良好に冷房することができる。
【００９８】
・前記各実施形態において、座席装置１０は、航空機におけるファーストクラス用の座席装置ではなく、家庭用の座席装置に具体化したものであってもよい。また、建物の室内にパーティションで仕切形成される狭い空間域を加湿対象スペースとして、該スペース内の加湿を図るものとしてもよい。これらの場合においても、その小空間の加湿対象スペース（専用スペースＳ）内が加湿装置２２，６０，７０によって効率良く加湿されるため、大きな空間域の室内（客室）全体を加湿する場合に比して、充分に省エネルギー化を図ることができる。
【図面の簡単な説明】
【００９９】
【図１】（ａ）は第１の実施形態における座席装置の斜視図、（ｂ）は座席装置の使用状態の一例を示す側断面図。
【図２】第１の実施形態における加湿装置の一部破断要部斜視図。
【図３】第１の実施形態における加湿装置の概略断面図。
【図４】比較例の加湿装置の概念図。
【図５】（ａ）は比較例の加湿装置において加湿用空気の温度の変化を示すグラフ、（ｂ）は加湿用空気の絶対湿度の変化を示すグラフ、（ｃ）は加湿用空気の相対湿度の変化を示すグラフ、（ｄ）は加湿装置のトータル消費電力を示すグラフ。
【図６】（ａ）は第１の実施形態における加湿装置において加湿用空気の温度の変化を示すグラフ、（ｂ）は加湿用空気の絶対湿度の変化を示すグラフ、（ｃ）は加湿用空気の相対湿度の変化を示すグラフ、（ｄ）は加湿装置のトータル消費電力を示すグラフ。
【図７】第２の実施形態における加湿装置の概略斜視図。
【図８】第２の実施形態における加湿装置の概略断面図。
【図９】（ａ）は第２の実施形態における加湿装置において加湿用空気の温度の変化を示すグラフ、（ｂ）は加湿用空気の絶対湿度の変化を示すグラフ、（ｃ）は加湿用空気の相対湿度の変化を示すグラフ、（ｄ）は加湿装置のトータル消費電力を示すグラフ。
【図１０】第３の実施形態における加湿装置の概略斜視図。
【図１１】第３の実施形態における加湿装置の概略断面図。
【図１２】（ａ）は第３の実施形態における加湿装置において加湿用空気の温度の変化を示すグラフ、（ｂ）は加湿用空気の絶対湿度の変化を示すグラフ、（ｃ）は加湿用空気の相対湿度の変化を示すグラフ、（ｄ）は加湿装置のトータル消費電力を示すグラフ。
【図１３】別例の加湿装置を示す概略断面図。
【図１４】他の別例の加湿装置を示す概略断面図。
【図１５】更なる別例の加湿装置を示す概略断面図。
【符号の説明】
【０１００】
１０…座席装置、１０Ａ…座席専用空調装置（加湿システム）、１１…シート、１２…パーティション（シート周りモジュール）、２０…カバー部材、２２，６０，７０…加湿装置、２７Ａ…第１加湿ユニット、２７Ｂ…第２加湿ユニット、２７Ｃ…第３加湿ユニット、２８Ａ…第１熱交換ユニット（熱交換部）、２８Ｂ…第２熱交換ユニット（熱交換部）、３６…配水管（加湿部）、３９，７６…熱交換用空気通路（気体流路）、６２，７２…加湿用水タンク（水分供給手段），６３，９０…熱交換用パイプ（熱交換ユニット、熱交換部、熱交換用筒状体）、６３ａ…内側空間（気体流路）、６３ｂ，９０ａ…外面、６４…加湿用フィルタ、６５，７８，Ｐ…加湿用空気通路（空気流路）、７３…熱交換器（熱交換ユニット、熱交換部）、７９ａ…分岐給水管（水分供給流路）、８０…防水透湿膜、Ｓ…専用スペース（加湿対象スペース）、Ｗ…加湿用水、ＷＴ…水分補給タンク（水分供給手段）。
【図１】
2006266583.tif 000003
【図２】
2006266583.tif 000004
【図３】
2006266583.tif 000005
【図４】
2006266583.tif 000006
【図５】
2006266583.tif 000007
【図６】
2006266583.tif 000008
【図７】
2006266583.tif 000009
【図８】
2006266583.tif 000010
【図９】
2006266583.tif 000011
【図１０】
2006266583.tif 000012
【図１１】
2006266583.tif 000013
【図１２】
2006266583.tif 000014
【図１３】
2006266583.tif 000015
【図１４】
2006266583.tif 000016
【図１５】
2006266583.tif 000017